(57)【要約】【課題】本発明の目的は、ドライブにディスクを装着してからディスクが所定の温度になるまでの待機時間が短くなり、迅速な記録再生を行うことが可能となり、高い信頼性を備えたライブラリ装置を安価に提供することにある。【解決手段】本発明のライブラリ装置は、データを記録するディスクを複数収納する収納庫と、前記収納庫から搬送されたディスクの記録再生をおこなう、少なくともひとつのドライブと、前記ドライブの発生熱を前記収納庫のディスクに熱輸送するように前記収納庫と前記ドライブを接続する熱連結部材と、を備えるようにした。【選択図】  図３
2016170842.tif 000002
【特許請求の範囲】
【請求項１】
データを記録するディスクを複数収納する収納庫と、
前記収納庫から搬送されたディスクの記録再生をおこなう、少なくともひとつのドライブと、
前記ドライブの発生熱を前記収納庫のディスクに熱輸送するように前記収納庫と前記ドライブを接続する熱連結部材と、
を備えたことを特徴とするライブラリ装置。
【請求項２】
請求項１に記載のライブラリ装置において、
前記収納庫の上部または下部のいずれかに設けられ、前記収納庫を通風する熱輸送ファンを備え、
前記熱輸送ファンの反対側に前記熱連結部材の端部が設置され、
前記熱連結部材により前記ドライブから前記収納庫に熱輸送された前記ドライブの発生熱が、前記熱輸送ファンによる収納庫の通風により、前記ディスクに熱伝達されて、前記ディスクの温度が上昇する
ことを特徴とするライブラリ装置。
【請求項３】
請求項１に記載のライブラリ装置において、
前記収納庫の内部温度を検知する第1温度センサと前記ドライブ温度を検知する第２温度センサを有し、
前記熱連結手段は、前記第１温度センサと前記第２温度センサの検知温度により、前記ドライブの温度に前記ディスクの温度が近づくように熱輸送する
ことを特徴とするライブラリ装置。
【請求項４】
請求項３に記載のライブラリ装置において、
前記第1温度センサは、前記熱輸送ファンと前記熱連結部材の端部との間にひとつ設置され、
前記第1温度センサの検出温度を前記収納庫の平均温度として、熱輸送が制御される
ことを特徴とするライブラリ装置。
【請求項５】
請求項３に記載のライブラリ装置において、
前記第1温度センサは、前記熱輸送ファンの近傍と前記熱連結部材の端部の近傍に設置され、
前記第1温度センサの検出温度の差を前記収納庫の温度勾配として、熱輸送が制御される
ことを特徴とするライブラリ装置。
【請求項６】
データを記録するディスクを複数収納する収納庫と、
前記収納庫から搬送されたディスクの記録再生をおこなう、少なくともひとつのドライブと、
前記ドライブと前記収納庫との間に設けられた送風ダクトと、
前記収納庫に設けられ、前記ドライブの発生熱を吸熱した空気を、前記送風ダクトを介して吸気し、前記収納庫の内部に通風し、装置外部に排気する熱輸送ファンと、を備え、
前記ドライブの発生熱を前記ディスクに熱輸送する
ことを特徴とするライブラリ装置。
【請求項７】
請求項６に記載のライブラリ装置において、
前記送風ダクトは、前記ドライブを連接して、前記ドライブの発生熱を吸熱した空気を前記収納庫に通風する
ことを特徴とするライブラリ装置。
【請求項８】
請求項７に記載のライブラリ装置において、
前記送風ダクトと前記ドライブは、振動の伝播を抑止する緩衝部材により接続される
ことを特徴とするライブラリ装置。
【請求項９】
請求項６に記載のライブラリ装置において、
前記収納庫の内部温度を検知する第1温度センサと前記ドライブ温度を検知する第２温度センサを有し、
前記第１温度センサと前記第２温度センサの検知温度により、前記送風ダクトは、前記ドライブの温度に前記ディスクの温度が近づくように前記ドライブの排気を送風する
ことを特徴とするライブラリ装置。
【請求項１０】
請求項９に記載のライブラリ装置において、
前記送風ダクトと前記ドライブとの接続部には、開口率を調整可能なシャッターが設けられ、
前記第２温度センサの検知温度により、前記シャッターの開口率が調整される
ことを特徴とするライブラリ装置。
【請求項１１】
請求項９に記載のライブラリ装置において、
前記熱輸送ファンは、前記収納庫の上部または下部のいずれかに設けられ、
前記送風ダクトの端部は、前記熱輸送ファンの設置側と反対の位置に設けられ、
前記第１温度センサと前記第２温度センサの検知温度により、前記熱輸送ファンを制御して、前記収納庫の通風量を調整する
ことを特徴とするライブラリ装置。
【請求項１２】
請求項６に記載のライブラリ装置において、
前記熱輸送ファンは、前記収納庫の上部または下部のいずれかに設けられ、
前記送風ダクトの端部は、前記熱輸送ファンの設置側と反対の位置に設けられ、
前記熱輸送ファンにより、前記ドライブの発生熱を吸熱した空気が、前記送風ダクトを通気した後に、前記収納庫の内部を通気して、装置外部に排気されることで、前記ドライブの発生熱をディスクに熱伝達する
ことを特徴とするライブラリ装置。
【請求項１３】
データを記録するディスクを複数収納する収納庫と、
前記収納庫から搬送されたディスクの記録再生をおこなう、少なくともひとつのドライブと、
前記ドライブと前記収納庫との間に設けられ、前記ドライブの発生熱を吸熱して前記収納庫で放熱するヒートパイプと、
前記収納庫に設けられ、前記ヒートパイプにより熱輸送された前記ドライブの発生熱により加熱された空気を、前記収納庫の内部に通気させ、装置外部に排気する熱輸送ファンと、を備え、
前記ドライブの発生熱を前記ディスクに熱伝達する
ことを特徴とするライブラリ装置。
【請求項１４】
請求項１３に記載のライブラリ装置において、
ヒートパイプの受熱端が前記ドライブのそれぞれの後部に接続し、
前記ヒートパイプの軸部が、垂直方向に配設されるとともに、装置上方で前記収納庫に橋架され、
ヒートパイプの放熱端が前記収納庫の内部に設置される
ことを特徴とするライブラリ装置。
【請求項１５】
請求項１３に記載のライブラリ装置において、
前記収納庫の内部温度を検知する第1温度センサと前記ドライブの温度を検知する第２温度センサを有し、
前記熱輸送ファンは、前記第１温度センサと前記第２温度センサの検知温度により、前記ドライブの温度に前記ディスクの温度が近づくように、回転数を制御される
ことを特徴とするライブラリ装置。
【請求項１６】
請求項１３に記載のライブラリ装置において、
前記ヒートパイプの放熱部は、収納庫の上部に配置され、
前記熱輸送ファンは、収納庫の下部に設けられ、
前記熱輸送ファンによる収納庫の通気により、前記ヒートパイプの放熱部で放熱された前記ドライブの発生熱が、前記ディスクに熱伝達されて、前記ディスクの温度が上昇する
ことを特徴とするライブラリ装置。
【発明の詳細な説明】
【技術分野】
【０００１】
本発明は、複数のメディアを収納してメディアの記録再生をおこなうライブラリ装置に関する。
【背景技術】
【０００２】
Blu-ray（登録商標） Disc（ブルーレイディスク）等のディスクを使用したライブラリ装置は、大容量のデータの記録及び長期間の保管を行うアーカイブシステムとして、ディスクの大容量や長寿命や信頼性の高さから普及が進みつつある。
このライブラリ装置は、記録媒体である数百枚のディスクを収納する収納庫と、ディスクの情報を記録再生するドライブで構成される。収納庫から取り出されたディスクは、ディスク搬送装置によりドライブに搬送され、情報の記録再生が行われる。
【０００３】
この大量のディスクを収容するライブラリ装置では、電源が投入されると、記録再生を行うレーザ光の電力、ディスク回転制御、記録再生を行う信号処理に伴う基板の消費電力等により、ドライブ内の温度が上昇する。
所望のディスクに記録再生を行う信号が、外部のコンピュータ等からこのライブラリ装置に入力されると、温度上昇したドライブ内に、収納庫等に保管されているディスクが取り出されて搬送される。収納庫等の温度は、一般的にドライブ内の温度より低いため、ディスクの温度もドライブ内の温度より低くなっている。
【０００４】
従って、ディスクがドライブ内に挿入されると、ドライブ内の熱がディスクに伝わり、ディスクの温度が上昇する。このとき、ディスクは熱伝導率が金属よりも低いガラス、または樹脂等の材料で構成されているため、ディスクの温度上昇の速度は金属等に比較して遅い。このため、ディスクの温度上昇に伴い、記録や再生の感度も変化するため、照射光の強度等を変化させないと適正な記録再生が行えず、記録再生エラーになる確率が高くなる。
【０００５】
従来から、上記の問題を解決する技術がいくつか考案されている。
例えば、特許文献１では、記録媒体を保管する媒体保管棚と記録再生部を分離して配置し、上記保管棚及び記録再生部の温度を各別に調節する複数の温度調節機を設けることにより、前記保管棚及び記録再生部を適切な温度にそれぞれ調節する。さらに、読み取りエラー頻度に応じて適切な温度に設定してある保管棚に記録媒体を保管することにより記録媒体へのアクセス時間を短縮すると共に記録媒体を適切な温度で保管して、記録再生エラーを低減する技術について開示されている。
また、上記の特許文献２では、記録再生部に温度センサを設け、記録媒体を収納する収納部に温度センサとヒータを設置し、収納部の温度を記録再生部の温度と同じに調節する温度制御手段を備える技術が開示され、光記録媒体の装填直後から適正な記録や再生を行っている。
【先行技術文献】
【特許文献】
【０００６】
【特許文献１】特開２００８−２５１１２２号公報
【特許文献２】特開平１１−１３４８５２号公報
【発明の概要】
【発明が解決しようとする課題】
【０００７】
次に、本発明を適用するライブラリ装置の課題について詳しく説明する。
上記の大量のディスクを収容するライブラリ装置では、電源が投入されると、記録再生を行うレーザ光の電力、ディスク回転制御、記録再生を行う信号処理に伴う基板の消費電力等により、ドライブ内の温度が上昇する。
所望のディスクに記録再生を行う信号が、外部のコンピュータ等からライブラリ装置に入力されると、上記の温度上昇したドライブ内に、収納庫等に保管されているディスクが取り出されて搬送される。収納庫等の温度は、一般的にドライブ内の温度より低いため、ディスクの温度もドライブ内の温度より低くなっている。従って、ディスクがドライブ内に挿入されると、ドライブ内の熱がディスクに伝わり、ディスクの温度が上昇を開始する。ディスクは熱伝導率が金属よりも低いガラス、または樹脂等の材料で構成されているため、ディスクの温度上昇の速度は金属等に比較して遅く、徐々に温度が上昇する。ディスクの温度上昇が生じるとそれに伴い、記録や再生の感度も変化するため、照射すべき光の強度等を変化させないと適正な記録再生が行えず、記録再生エラーになる確率が高くなる。
【０００８】
上記特許文献１では、記録媒体を保管する媒体保管棚と記録再生部を分離して配置し、上記保管棚及び記録再生部の温度を各別に調節する複数の温度調節機を設けることにより、前記保管棚及び記録再生部を適切な温度にそれぞれ調節する。さらに、読み取りエラー頻度に応じて適切な温度に設定してある保管棚に記録媒体を保管することにより記録媒体へのアクセス時間を短縮すると共に記録媒体を適切な温度で保管して、記録再生エラーを低減する技術について開示されている。
また、上記の特許文献２では、記録媒体を収納する収納部に温度センサとヒータを設置し、収納部の温度を記録再生部の温度と同じに調節する温度制御手段を備える技術が開示されている。
【０００９】
しかし、上記の特許文献１及び特許文献２の特許に関しては、各保管棚や収納部に温度センサと温度調節機である媒体加熱器やヒータを配置し、各保管棚の温度を制御することが必要であり、記録媒体の枚数や保管棚等の数が多い場合には、そのための電力増や制御装置等の設置によるコスト増等に対しては、配慮がされておらず、消費電力や装置コスト等が大きく増加してしまう恐れがあった。
【００１０】
本発明の目的は、ドライブ内部の熱を連結部材により収納庫内に輸送して、予めドライブ内部の空気温度とディスクの温度を近づけておくライブラリ装置を提供することである。上記の構成により、ドライブにディスクを装着してからディスクが所定の温度になるまでの待機時間が短くなり、迅速な記録再生を行うことが可能となり、高い信頼性を備えたライブラリ装置を提供することができる。
【課題を解決するための手段】
【００１１】
前記課題を解決するため、本発明のライブラリ装置は、データを記録するディスクを複数収納する収納庫と、前記収納庫から搬送されたディスクの記録再生をおこなう、少なくともひとつのドライブと、前記ドライブの発生熱を前記収納庫のディスクに熱輸送するように前記収納庫と前記ドライブを接続する熱連結部材と、を備える構成とした。
【００１２】
詳細には、本発明のライブラリ装置は、データを記録するディスクを複数収納する収納庫と、前記収納庫から搬送されたディスクの記録再生を行う、少なくともひとつのドライブと、前記ドライブと前記収納庫との間に設けられた送風ダクトと、前記収納庫に設けられ、前記送風ダクトを介して、前記ドライブの発生熱を吸熱した空気を吸気し、前記収納庫の内部を通気させ、装置外部に排気する熱輸送ファンと、を備え、前記ドライブの発生熱を前記ディスクに熱輸送するようにした。
【００１３】
また、本発明のライブラリ装置は、データを記録するディスクを複数収納する収納庫と、前記収納庫から搬送されたディスクの記録再生を行う、少なくともひとつのドライブと、前記ドライブと前記収納庫との間に設けられ、前記ドライブの発生熱を吸熱して前記収納庫で放熱するヒートパイプと、前記収納庫に設けられ、前記ヒートパイプにより熱輸送された前記ドライブの発生熱により加熱された空気を、前記収納庫の内部に通気させ、装置外部に排気する熱輸送ファンと、を備え、前記ドライブの発生熱を前記ディスクに熱伝達するようにした。
【発明の効果】
【００１４】
本発明によれば、ドライブにディスクを装着してからディスクが所定の温度になるまでの待機時間が短くなり、記録再生にかかる時間を短縮し、迅速な記録再生を行うことができるとともに、安価に高性能なライブラリ装置を提供することが可能となる。
また、媒体加熱器やヒータ等が不要となるので、低消費電力で環境にやさしいライブラリ装置を提供することができる。
【図面の簡単な説明】
【００１５】
【図１】実施例１のライブラリ装置を前面からみた外観の斜視図である。
【図２】実施例１のライブラリ装置を後面からみた外観の斜視図である。
【図３】実施例１のライブラリ装置の内部構成を示す図である。
【図４】実施例１のライブラリ装置の側面図である。
【図５】実施例１の連結部材の断面図である。
【図６】実施例１の連結部材の開口部を説明する図である。
【図７】実施例２のライブラリ装置の内部構成を示す図である。
【図８】実施例２のライブラリ装置の断面図である。
【図９】実施例２の連結部材の断面図である。
【図１０】実施例２の連結部材の他の構成図である。
【図１１】実施例３のライブラリ装置の連結部材の構成を示す斜視図である。
【図１２】実施例３のライブラリ装置をドライブ後面より視た側面図である。
【図１３】実施例３のライブラリ装置の断面図である。
【図１４】実施例３の収納庫の上面図である。
【発明を実施するための形態】
【００１６】
以下、本発明の実施例を図面にしたがって説明する。各図において、同一番号は同一部品を示し、説明を省略する場合もある。
《実施例１》
図１は、本発明のライブラリ装置の第1の実施形態を説明する図であり、ライブラリ装置１を前面から見た外観の斜視図である。なお、図は、ライブラリ装置１の上部を開放した図となっている。
【００１７】
ライブラリ装置１には、ラック状の筐体２の内部に複数枚のホログラムディスク等のディスク３を収容する収納庫４、記録再生を行うドライブ５、及びディスク３を搬送するディスク搬送装置６（以下、搬送装置６という）が内蔵されている。また、前面にはディスク３を収納庫４に挿入するディスク挿入口７及び装置内部を冷却するための冷却空気を取り入れる吸入口８が設置されている。
【００１８】
図２は、本発明のライブラリ装置１を後面から視た斜視図である。筐体２の背面には、内部の空気を排出する排気ファン１０が設置されており、前面の吸入口８（図１参照）から空気を吸入し、ライブラリ装置１内部の発生熱を空気と共に排出して、ライブラリ装置１内部の温度上昇を低減するようにしている。
また、ライブラリ装置１の下部には、ライブラリ装置１の操作及び動作を制御する制御回路部９（以下、制御部９という）が配置されている。
【００１９】
図３は、ライブラリ装置１の内部構成を示す図であり、図２と同じ、後面から視たものである。
図３に示すように、ライブラリ装置１の内部は、ラック状の筐体２の内部にディスク３を多数収納した収納庫４とドライブ５、搬送装置６及びライブラリ装置１の操作及び動作を制御する制御回路部９（以下、制御部９という）が配置されている。
収納庫４は、例えば、側方に図示しないディスク挿脱口を配置した箱状の筐体で形成される。
【００２０】
また、ドライブ５は、ディスク３に記録及び再生を行う記録再生装置であり、内部には記録再生に必要な図示しない光学部品が多数配置されている。
そして、ドライブ５はライブラリ装置１内に多段に複数台配置され、制御部９により個別に制御されて、同時に記録再生が行われる。
【００２１】
ここで、ライブラリ装置１の記録再生動作をより詳細に説明する。
収納庫４に収納された所望のディスク３にデータの記録再生等の動作を行う信号が、図示しないコンピュータ等の外部装置から、制御部９に入力される。すると、上記入力信号により図３の搬送装置６は、所定の動作開始位置から搬送用レール６ａに沿って所望のディスク３の取り出し位置まで移動する。その後、図示しない取り出し機構によりディスク３が搬送装置６内に押し出され、挿入される。搬送装置６に挿入されたディスク３は、搬送装置６により搬送用レール６ａに添って所定のドライブ５方向に移動する。搬送装置６は所定のドライブ５のディスク挿脱口５ａの前で停止して、ドライブ５にディスク３をディスク挿脱口５ａから挿入する。挿入された上記ディスク３はドライブ５においてデータの記録再生動作が行われ、ディスク３のデータは制御部９により図示しないコンピュータ等の外部装置との間で相互通信が行われる。
【００２２】
上記の外部装置からの指示によるディスク３の記録再生動作が終了した後に、上記のディスク３はディスク挿脱口５ａから取り出されて、搬送装置６に挿入される。その後、搬送装置６は、搬送用レール６ａに添ってディスク３の事前の収納位置まで移動し、収納庫４の所定の収納位置にディスク３を挿入する。ディスク３の挿入後に、搬送装置６は所定の動作開始位置へ移動し、停止して動作を終了する。なお、搬送装置６は搬送用レール６ａに沿って上下、左右へ移動可能な構成となっている。
上記の一連の動作は、複数のディスク３のデータの記録再生を行う場合には、所望のディスク３の枚数分だけ繰り返し行われる。
【００２３】
ところで、ドライブ５は、ディスク３に記録及び再生を行う記録再生装置であり、内部には記録再生に必要な図示しない光学部品が多数配置されている。この光学部品には、レーザ光源やＦＰＧＡ等の回路素子が実装され、さらに、ディスク３を回転するスピンドルモータが搭載され、回路素子やモータの発熱のために、ドライブ内部の空気温度が上昇している。
ドライブ５は、所定の温度範囲でディスク３の記録再生をおこなっており、ディスク３の温度がこの温度範囲にない場合には、ディスク３の温度がドライブ５内部の温度になじむ（補正可能範囲内に近づく）までディスク３の記録再生を待たなければならない。
【００２４】
従って、ディスク３とドライブ５の温度が同じ、または、近いほど、記録再生を開始するまでの波長補正時間やディスク３の温度平衡の待ち時間を短縮することができる。
このため、本実施例のライブラリ装置１は、装置内部に、ドライブ５から収納庫４に熱を輸送する連結部材１１ａを設けるようにした。
詳細は後述するが、本実施例では、この連結部材１１ａをドライブ５の排気を収納庫４に輸送する送風ダクトとした。そして、このダクトの通気は、収納庫４に設けられた熱輸送ファン１３ａにより行う構成とした。
【００２５】
図４は、ライブラリ装置１を後面から視た時の構成を示す側面図である。
連結部材１１ａは、送風ダクトであり、ライブラリ装置１の底部に配設され、３つのドライブ５と収納庫４を連接する。そして、ドライブ５の排熱を吸熱した空気を収納庫４に吸気し、収納庫４の内部に通風して、収納庫４に収納されるディスク３に熱伝達する。これにより、ディスク３とドライブ５の温度を合わせる。
詳細は後述するが、図４のように、連結部材１１ａをライブラリ装置１の底部に配設することにより、搬送装置６の稼働を妨げることなく、ドライブ５と収納庫４を熱連結してドライブ５から収納庫４に熱輸送することができる。
【００２６】
つぎに、図５により、連結部材１１ａ（送風ダクト）の構成をより詳細に説明する。図５は連結部材１１ａ（送風ダクト）の構成を示す断面図である。
上記のとおり、連結部材１１ａ（送風ダクト）は、３つのドライブ５の後側（ディスク挿脱口５ａの反対側）に連結するように設けられ、ドライブ５内の暖気を白抜きの矢印の方向に通流している。
【００２７】
詳細には、図６に示すように、連結部材１１ａとドライブ５の間にはスライドして開口率を変化させることが可能な開口部であるシャッター１２ａが設置されている。
このシャッター１２ａの開口率は、ドライブ５の温度と収納庫４内部の温度により制御される（詳細は後述する）。
【００２８】
図５に戻り、連結部材１１ａ（送風ダクト）は、ディスク搬送装置６に干渉しないように、装置の底部に配設されて、収納庫４の底部の吸気口１４ａに接続されている。
吸気口１４ａには、塵埃フィルタが設けられており、連結部材１１ａの暖気は、塵埃等は除去されてから収納庫４内部に輸送される。
なお、塵埃フィルタは、上記吸気口１４ａに限定されるものではなく、ドライブ５と連結部材１１ａの接続部であるシャッター１２ａに設置しても良い。
【００２９】
収納庫４の上部には、熱輸送ファン１３ａが設置され、連結部材１１ａ（送風ダクト）を介してドライブ５内の暖気を収納庫４の内部に吸気し、装置外部に排気する。
収納庫４の下部から流入したドライブ５内の暖気は、収納庫４内部に拡散して温度が均一になるように、収納庫４内部を通流する。または、収納庫４に流入した暖気は、ディスク３を順に通風する。
上記の構成により、ドライブ５の発生熱は、収納庫４内部のディスク３に熱伝達され、ドライブ５とディスク３の温度差が小さくなる。
【００３０】
上記の熱輸送量を制御するために、収納庫４内部には、ひとつ、または、複数の温度センサ１５が設置され、各ドライブ５内部のディスク３搭載部周辺には、温度センサ１６が設置されている。そして、温度センサ１５と温度センサ１６の検出温度に基づいて、シャッター１２ａの開口率と熱輸送ファン１３ａの回転数を制御する。
つまり、ドライブ５とディスク３の温度差が大きい時には、熱輸送ファン１３ａの回転数を高くして、熱輸送量を大きくする。
【００３１】
図５には、温度センサ１５を吸気口１４ａと熱輸送ファン１３ａの間にひとつ設ける例を示している。この場合には、温度センサ１５を吸気口１４ａと熱輸送ファン１３ａの間の中央に設けることで、収納庫４内部の平均温度を取得することができる。
また、温度センサ１５を、吸気口１４ａの近傍と熱輸送ファン１３ａの近傍の２カ所に設けるようにしてもよい。この場合には、収納庫４内部の温度勾配を検出することができるので、ディスク３の収納場所による温度ばらつきを推定でき、より細かく熱輸送量を制御することができる。例えば、収納庫４内部の温度勾配が大きいときには、熱輸送ファン１３ａの回転数を大きくして通風量を多くし、所定の温度勾配にする。
【００３２】
さらに、温度センサ１６の検出温度に基づいて、温度が高いドライブ５のシャッター１２ａの開口率を大きくする。これにより、ドライブ５間の温度差を小さくする。
上記のようにして、各ドライブ５の温度と収納庫４内部のディスク３の温度を近づけることができる。
【００３３】
また、収納庫４内部の温度を調節するのに、シャッター１２ａの開口率を変えることでも同様の効果を得ることもできる。すなわち、シャッター１２ａの開口率を変化させることで、空気流量を調節することができるので、例えば、稼動していないドライブ５のシャッター１２ａを閉鎖して、暖気を調整することによりファンの回転数を制御するのと同様の温度調整の効果を得ることも可能である。
【００３４】
上記の連結部材１１ａを設置することにより、各ドライブ５と収納庫４内部の温度を近づけることができ、ディスク３の温度をレーザ光波長補正内に保持することが可能となる。これによりディスク３の記録再生をドライブ５の装填直後に行うことができるため、待ち時間が生じることがなく、記録再生時間を短縮することが可能となる。
また、ドライブ５内部の温度と収納庫４内部の温度が、波長補正可能範囲内の場合でも、ディスク３の温度とドライブ５内部の温度との差が小さくなるように、あらかじめ温度調整されていることから、レーザ光波長補正をディスクの収縮状態に合わせて何度も繰り返し行うことを回避し、安定的にデータの記録再生を短時間で行うことも可能となる。
さらに、収納庫４の温度とドライブ５内の温度をモニタリングすることにより、収納庫４との温度差の小さいドライブ５に、ディスク３を優先的に搬送することが可能となり、レーザ光波長補正の回数を減らして、より安定的に記録再生を行うことも可能となる。
【００３５】
また、収納庫４からドライブ５へのディスク３の搬送時に、温度変化を防ぐ方法として、搬送装置６の保温性を上げることも有効である。搬送装置６の内部を保温性の良い材料、例えば、グラスウール等の断熱材で囲うことにより、収納庫４からドライブ５への搬送によるディスク３の温度低下を防止することができ、収納庫４、ドライブ５及び搬送装置６内におけるディスク温度の均一化を図ることができる。なお、断熱材としては、保温性の良い材料であれば、上記の材料に限るものではない。
【００３６】
《実施例２》
つぎに、前述とは異なり、ドライブ５から収納庫４に熱輸送する送風ダクトである連結部材１１ｂを、ライブラリ装置１の天井側に配設した実施例について説明する。この構成により、ドライブ５の暖気をよりスムーズに収納庫４に輸送することが可能となる。
図７の本実施例のライブラリ装置の内部構成を示す図と、図８の本実施例のライブラリ装置の中央の断面図と、図９の本実施例の連結部材の構成図により、詳細に説明する。
【００３７】
図７と図８に示すように、ドライブ５に連接する連結部材１１ｂ（送風ダクト）は、ライブラリ装置１の天井側に配設され、収納庫４の上部に接続する。そして、収納庫４の下部に熱輸送ファン１３ｂを設ける構成とした。この構成により、ドライブ５の排気を収納庫４に輸送する。
【００３８】
つぎに、図９により、連結部材１１ｂ（送風ダクト）の構成をより詳細に説明する。図９は、連結部材１１ｂ（送風ダクト）と収納庫４、ドライブ５の構成図である。
連結部材１１ｂ（送風ダクト）は、３つのドライブ５の後側（ディスク挿脱口５ａの反対側）に連結するように設けられ、ドライブ５内の暖気（排気）を白抜きの矢印の方向に通流している。図５に示した構成と比べると、本実施例では、上向きに通流している。このため、ドライブ５からの排気を容易に行うことができる。
【００３９】
収納庫４には、熱輸送ファン１３ｂが下部に設けられ、収納庫４の上部の吸気口１４ｂに接続された連結部材１１ｂ（送風ダクト）から、ドライブ５内の暖気（排気）が吸入される。吸気口１４ｂから流入したドライブ５の暖気は、収納庫４内を通風し、収納庫４内のディスク３を加熱し、熱輸送ファン１３ｂにより装置外部に排気される。
吸気口１４ｂには、実施例１と同様にフィルタが設けられており、塵埃等は除去されるようになっている。
【００４０】
本実施例でも、収納庫４内部には、ひとつ、または、複数の温度センサ１５が設置され、各ドライブ５内部のディスク３搭載部周辺には、温度センサ１６が設置されている。そして、温度センサ１５と温度センサ１６の検出温度に基づいて、後述するシャッター１２ａの開口率と熱輸送ファン１３ｂの回転数を制御する。
つまり、ドライブ５とディスク３の温度差が大きい時には、熱輸送ファン１３ｂの回転数を高くして、熱輸送量を大きくする。
【００４１】
図９には、温度センサ１５を吸気口１４ｂと熱輸送ファン１３ｂの間にひとつ設ける例を示している。この場合には、温度センサ１５を中央に設けることで、収納庫４内部の平均温度を取得することができる。
また、温度センサ１５を、吸気口１４ｂの近傍と熱輸送ファン１３ｂの近傍の２カ所に設けるようにしてもよい。この場合には、収納庫４内部の温度勾配を検出することができるので、ディスク３の収納場所による温度ばらつきを推定でき、より細かく熱輸送量を制御することができる。例えば、収納庫４内部の温度勾配が大きいときには、熱輸送ファン１３ｂの回転数を大きくして通風量を多くし、所定の温度勾配にする。
【００４２】
また、複数のドライブ５の温度差に応じて、温度が高いドライブ５のシャッター１２ａの開口率を大きくする。これにより、ドライブ５間の温度差を小さくし、さらに、各ドライブ５の温度と収納庫４内部のディスク３の温度を近づけることができる。
【００４３】
また、収納庫４内部の温度を調節するのに、シャッター１２ａの開口率を変えることでも同様の効果を得ることもできる。すなわち、シャッター１２ａの開口率を変化させることで、空気流量を調節することができるので、例えば、稼動していないドライブ５のシャッター１２ａを閉鎖して、暖気を調整することによりファンの回転数を制御するのと同様の温度調整の効果を得ることも可能である。
【００４４】
ところで、ディスク３の種類によっては、熱輸送ファン１３ｂ等の振動がドライブ５に伝わると、記録再生性能に悪影響を及ぼすことがある。このため、図１０に示すように、ドライブ５と連結部材１１ｂを接続する接続部に、機械振動の伝達の防止効果をもつ通風パイプ１２ｂ等の緩衝部材を設置してもよい。
これにより、ドライブ５と連結部材１１ｂが離隔され、収納庫４に設置した熱輸送ファン１３ｂの振動が、ドライブ５に直接的に伝わらないようにすることができる。
なお、上記の通風パイプ１２ｂは、実施例１の連結部材１１ａ（送風ダクト）にも適用可能である。
また、通風パイプ１２ｂは、機械振動の伝達を防止できる緩衝部材であれば、パイプ以外の他の形態であってもよい。
【００４５】
《実施例３》
次に、図１１から図１４により、ドライブ５の発生熱を収納庫４に熱輸送する連結部材２１ａを、ヒートパイプで構成する例を説明する。なお、以下の説明において、図１から図１０と同じ符号をもつ部材は、実施例１や実施例２に同じ部材であるため、説明を省略する場合がある。
【００４６】
図１１は、本実施例のライブラリ装置の連結部材の構成を示す斜視図である。
図１１に示すように、ヒートパイプである連結部材２１ａは、ヒートパイプの一端をドライブ５に接続してドライブ５の発生熱を吸熱し、ヒートパイプの軸部が装置の垂直方向に配設される。さらに、ヒートパイプである連結部材２１ａの軸部が、ライブラリ装置１の天井側に、収納庫４とドライブ５とを橋渡しするように配設され、ヒートパイプの他端を収納庫４に接続して収納庫４の内部で放熱している。これにより、ドライブ５の発生熱を収納庫４に熱輸送する。
【００４７】
さらに、図１２と図１３により、ドライブ５の発生熱を連結部材２１ａ（ヒートパイプ）により熱輸送する構成を説明する。図１２は、図１１のドライブ５の後面（ディスク挿脱口５ａの反対側）から見た側面図である。図１３は、図１２に示す連結部材２１ａ（ヒートパイプ）の一点鎖線の部分をファン１３ｃ側から見た断面図である。図面により、収納庫４内部の熱及び空気の流れを説明する。
【００４８】
図１３の各ドライブ５の後面（ディスク挿脱口５ａの反対側）には、ドライブ５内の熱を伝熱するヒートパイプ（連結部材２１ａ）の端部が埋設された伝熱板２０が、設置されている。上記のような構成とすることにより、ドライブ５内部の熱が伝熱板２０、連結部材２１ａを通って、収納庫４内の連結部材２１ａに設置したヒートシンクである放熱板２１ｂに輸送される。連結部材２１ａは、ドライブ５に独立に接続しているので、図１２に示すように、連結部材２１ａをずらして、並行に配設されている。
【００４９】
本実施例では、上記の、ドライブ５の発生熱を独立に吸熱して、連結部材２１ａにより熱輸送し、連結部材２１ａの放熱板２１ｂで一括して放熱する構成となっている。各ドライブ５の連結部材２１ａの放熱板２１ｂの温度を均一にするために、放熱板２１ｂを熱接続して一体化してもよい。
【００５０】
図１４は、ドライブ５毎に設けられた連結部材２１ａの放熱板２１ｂが、開口部４ａの位置に配置されている様子を示す、収納庫４の上面図である。
収納庫４に接続する連結部材２１ａの他端は、積層フィンが形成されたヒートシンクである放熱板２１ｂとなっている。この放熱板２１ｂが、収納庫４の内部に設置されている。この放熱板２１ｂの上部には、開口部４ａが形成されている。
【００５１】
次に、収納庫４内部の空気の流れを説明する。
図１３に示すように、放熱板２１ｂの上部には、開口部４ａが形成されており、吸気ダクト４ｂで筐体２に設置した吸気口４ｃと接続されている。さらに、吸気口４ｃにはフィルタ４ｄが設置されており、塵埃等は除去されて、開口部４ａから収納庫４内に外部から空気が流入する構成となっている。
【００５２】
収納庫４内への吸気は、収納庫４の下部に設けられた熱輸送ファン１３ｃの吸引により行われる。収納庫４の下部に設置された熱輸送ファン１３ｃにより吸気された空気が放熱板２１ｂに通気して、放熱板２１ｂから熱が空気に伝達する。放熱板２１ｂにより温められた空気は、収納庫４内部のディスク３を暖め、ファン１３ｃにより排気される。
【００５３】
収納庫４には空気流路４ｆが形成されており、外部から吸気され放熱板２１ｂで受熱した暖気は、収納庫４の内部の温度が均一になるように、ディスク棚４ｅ周囲の空気流路４ｆに拡散されて、通風する。
そして、熱輸送ファン１３ｃの回転数を制御することにより、収納庫４内部のディスク３の温度を、ドライブ５の温度に近づけるように制御する。
また、内部の空気流路４ｆとディスク棚４ｅが完全に分離されて配置、構成されており、ディスク棚４ｅ内部への塵埃の侵入は防止される構造となっている。
【００５４】
本実施例でも、収納庫４内部には、ひとつ、または、複数の温度センサ１５が設置され、各ドライブ５内部のディスク３搭載部周辺には、温度センサ１６（図示せず）が設置されている。そして、温度センサ１５と温度センサ１６の検出温度に基づいて、熱輸送ファン１３ｃの回転数を制御する。
つまり、ドライブ５とディスク３の温度差が大きい時には、熱輸送ファン１３ｃの回転数を高くして、熱輸送量を大きくする。
【００５５】
図１３には、温度センサ１５を放熱板２１ｂと熱輸送ファン１３ｃの間にひとつ設ける例を示している。この場合には、温度センサ１５を放熱板２１ｂと熱輸送ファン１３ｃの間の中央に設けることで、収納庫４内部の平均温度を取得することができる。
また、温度センサ１５を、放熱板２１ｂの近傍と熱輸送ファン１３ｃの近傍の２カ所に設けるようにしてもよい。この場合には、収納庫４内部の温度勾配を検出することができるので、ディスク３の収納場所による温度ばらつきを推定でき、より細かく熱輸送量を制御することができる。例えば、収納庫４内部の温度勾配が大きいときには、熱輸送ファン１３ｃの回転数を大きくして通風量を多くし、所定の温度勾配にする。
【００５６】
本実施例によれば、ドライブ５の発生熱を排熱するための冷却風を通風する必要がないので、ドライブ５内部に塵埃が吸い込まれることがない。このため、ライブラリ装置の記録データのエラー発生を抑止することができる。
【００５７】
以上に述べた本実施例によれば、ドライブ５の発生熱を連結部材により収納庫内に熱輸送して、ドライブ内部の温度とディスクの温度を近づけておくことが可能となる。これにより、ドライブにディスクを装着してからディスクが所定の温度になるまでの待機時間が短くなり、迅速な記録再生を行うことが可能となり、高い信頼性を備えたライブラリ装置を提供することができる。
また、ドライブの発生熱（排熱）を利用してディスクの温度調整をおこなっているので、ライブラリ装置の消費電力が増加することない。このため、環境負荷を増大することがない。
【００５８】
ところで、本実施例のディスク３は、円形メディアに限定されるものではなく、カード形状の記録メディアであってもよく、ドライブ５の光学部品やデータ処理の回路素子の発生熱を、収納庫の記録メディアに熱輸送することができる。
【００５９】
また、本発明は上記した実施例に限定されるものではなく、様々な変形例が含まれる。上記の実施例は本発明で分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【符号の説明】
【００６０】
１  ライブラリ装置
２  筐体
３  ディスク
４  収納庫
５  ドライブ
５ａ  ディスク挿脱口
６  ディスク搬送装置
６ａ  搬送用レール
９  制御回路部
１０  排気ファン
１１ａ、１１ｂ、２１ａ  連結部材
１３ａ、１３ｂ、１３ｃ  熱輸送ファン
【図１】
2016170842.tif 000003
【図２】
2016170842.tif 000004
【図３】
2016170842.tif 000005
【図４】
2016170842.tif 000006
【図５】
2016170842.tif 000007
【図６】
2016170842.tif 000008
【図７】
2016170842.tif 000009
【図８】
2016170842.tif 000010
【図９】
2016170842.tif 000011
【図１０】
2016170842.tif 000012
【図１１】
2016170842.tif 000013
【図１２】
2016170842.tif 000014
【図１３】
2016170842.tif 000015
【図１４】
2016170842.tif 000016